【手続補正書】
【提出日】平成22年3月5日(2010.3.5)
【手続補正１】
【補正対象書類名】特許請求の範囲
【補正対象項目名】全文
【補正方法】変更
【補正の内容】
【特許請求の範囲】
【請求項１】
それぞれトラフィック信号を伝送するように構成され、その少なくとも１つがトラフィック信号とコマンド信号を伝送するように構成されている複数のポートと、
１対のポート間にトラフィック信号の電気的に接続された通信路を提供するために選択的にポートを結合するように構成されたスイッチおよび伝導路を有し、前記１対のポートの少なくとも１つのポートはトラフィック信号とコマンド信号とを伝送するように構成されているスイッチネットワークと、
コマンド信号を復号し、復号されたコマンド信号に応答して前記１対のポート間に前記電気的に接続された通信路を与えるように前記スイッチを制御する制御装置とを具備し、トラフィック信号は前記１対のポート間で伝送されるように構成されている装置。
【請求項２】
前記複数のポートの１つのポートだけがトラフィック信号とコマンド信号を伝送するように構成されている請求項１記載の装置。
【請求項３】
前記複数のポートの各ポートは２つの別々の電気導体からなる電気的コンジットで結合されるように構成されており、前記電気導体は同軸ケーブル、遮蔽されていない撚られた導体対、印刷回路板上の伝送線のうち１以上を具備している請求項１記載の装置。
【請求項４】
無線周波数識別（ＲＦＩＤ）トランスポンダと共に使用するための装置であり、前記トラフィック信号はＲＦＩＤトラフィック信号であり、前記装置はさらにアンテナを具備し、そのアンテナは選択されたポートに結合され、電磁放射、誘導結合された信号、容量結合された信号のうちの少なくとも１つにより前記ＲＦＩＤトラフィック信号を前記選択されたポートに結合されている前記アンテナからＲＦＩＤトランスポンダへ送信し、帰還ＲＦＩＤトラフィック信号を提供するために前記アンテナにより送信された前記放射または信号に応答した前記ＲＦＩＤトランスポンダからの応答信号を前記アンテナで受信するように構成されており、前記装置は前記アンテナを保持する前記選択されたポートから前記電気的に接続された通信路に沿って、トラフィック信号とコマンド信号を伝送するように構成されている前記ポートへ帰還ＲＦＩＤトラフィック信号を導くように構成されている請求項１記載の装置。
【請求項５】
無線周波数識別（ＲＦＩＤ）トランスポンダと共に使用するための装置であり、前記トラフィック信号はＲＦＩＤトラフィック信号であり、前記装置はさらに第１のアンテナと第２のアンテナを具備し、第１のアンテナは選択された第１のポートに結合され、電磁放射、誘導結合された信号、容量結合された信号のうちの少なくとも１つにより前記ＲＦＩＤトラフィック信号を前記選択されたポートに結合されている前記第１のアンテナからＲＦＩＤトランスポンダへ送信し、第２のアンテナは選択された第２のポートに結合され、帰還ＲＦＩＤトラフィック信号を提供するために前記第１のアンテナからの電磁放射、誘導結合された信号、容量結合された信号のうちの少なくとも１つに応答して、前記ＲＦＩＤトランスポンダにより発生された応答信号を前記第２のアンテナで受信するように構成されており、前記装置は前記選択された第２のポートから前記電気的に接続された通信路に沿ってトラフィック信号とコマンド信号を伝送するように構成されている前記ポートへ帰還ＲＦＩＤトラフィック信号を導くように構成されている請求項１記載の装置。
【請求項６】
前記トラフィック信号は少なくとも５ｄＢｍの電力レベルを有するトラフィック信号を含んでいる請求項１記載の装置。
【請求項７】
前記コマンド信号はＲＦ信号のＲＦ電力レベルの関数として無線周波数（ＲＦ）信号において復号され、前記制御装置は受信されたＲＦ信号の電力レベルを検出するように構成されているＲＦ電力レベル検出器を具備している請求項１記載の装置。
【請求項８】
前記ＲＦ電力レベル検出器は受信されたＲＦ信号のＲＦ電力レベルの関数としてのデジタル信号または受信されたＲＦ信号のＲＦ電力レベルの関数としてのアナログ信号のいずれかを提供するように構成されている請求項７記載の装置。
【請求項９】
前記制御装置は、受信されたＲＦ信号の前記検出されたＲＦ電力レベルの関数として前記装置の前記制御装置を目的地とするコマンド信号と、選択されたポート間に電気的に接続されたＲＦ通信路で導かれることを意図されているＲＦトラフィック信号とを弁別するように構成されている請求項７記載の装置。
【請求項１０】
前記制御装置は受信されたＲＦ信号の前記検出されたＲＦ電力レベルが予め定められたしきい値電力値よりも低いとき、ＲＦ信号中で符合化され前記装置の前記制御装置を目的地とするコマンド信号を識別し、受信されたＲＦ信号の前記検出されたＲＦ電力レベルが前記予め定められたしきい値電力値を超えるとき、選択されたポート間に電気的に接続されたＲＦ通信路で導かれることを意図されているＲＦトラフィック信号を識別するように構成されている請求項７記載の装置。
【請求項１１】
前記制御装置は受信されたＲＦ信号の前記検出されたＲＦ電力レベルが予め定められた電力レベル範囲内に入るとき、ＲＦ信号で符合化され前記装置の前記制御装置を目的地とするコマンド信号を識別し、受信されたＲＦ信号の前記検出されたＲＦ電力レベルが前記予め定められた電力レベル範囲外であるとき、選択されたポート間に電気的に接続されたＲＦ通信路で導かれることを意図されているＲＦトラフィック信号を識別するように構成されている請求項８記載の装置。
【請求項１２】
前記コマンド信号は無線周波数（ＲＦ）信号中でデジタル的に符合化され、前記コマンド信号は予め定められた開始フレームコマンドに対応するビット値のシーケンスと、予め定められた終了フレームコマンドに対応するビット値のシーケンスとを含んでおり、前記制御装置は前記装置の前記制御装置を目的地とするコマンド信号と、選択されたポート間に前記電気的に接続されたＲＦ通信路で導かれることを意図されているＲＦトラフィック信号とを弁別するように構成され、前記弁別は前記装置の制御装置を目的地とするコマンド信号の識別を開始するための予め定められた開始フレームコマンドに対応するビット値の前記シーケンスを認識し、前記装置の前記制御装置を目的地とするコマンド信号の識別を終了するための予め定められた終了フレームコマンドに対応するビット値の前記シーケンスを認識する処理を含んでいる請求項１記載の装置。
【請求項１３】
前記コマンド信号は無線周波数（ＲＦ）信号中でデジタル的に符合化され、前記コマンド信号は予め定められた開始フレームコマンドに対応するビット値のシーケンスと、予め定められた終了フレームコマンドに対応するビット値のシーケンスとを含んでおり、前記制御装置は前記装置の前記制御装置を目的地とするコマンド信号と、選択されたポート間で前記電気的に接続されたＲＦ通信路で導かれることを意図されているＲＦトラフィック信号とを弁別するように構成され、前記制御装置は受信されたＲＦ信号の電力レベルを検出するように構成されたＲＦ電力レベル検出器を具備し、前記弁別は予め定められた開始フレームコマンドに対応するビット値の前記シーケンスを認識するのに応答して、前記装置の前記制御装置を目的地とするコマンド信号の識別を開始し、予め定められた終了フレームコマンドに対応するビット値の前記シーケンスを認識することと予め定められたしきい値電力値を超える受信されたＲＦ信号のＲＦ電力レベルを検出することとの少なくとも一方に応答して、前記装置の前記制御装置を目的地とするコマンド信号の識別を終了する処理を含んでいる請求項１記載の装置。
【請求項１４】
前記コマンド信号は無線周波数（ＲＦ）信号でデジタル的に符合化され、前記コマンド信号は予め定められた開始フレームコマンドに対応するビット値のシーケンスと、予め定められた終了フレームコマンドに対応するビット値のシーケンスとを含んでおり、前記制御装置は前記装置の前記制御装置を目的地とするコマンド信号と、選択されたポート間で前記電気的に接続されたＲＦ通信路で導かれることを意図されているＲＦトラフィック信号を弁別するように構成され、前記制御装置は受信されたＲＦ信号の電力レベルを検出するように構成されたＲＦ電力レベル検出器を具備し、前記弁別は予め定められた開始フレームコマンドに対応するビット値の前記シーケンスを認識するのに応答して、前記装置の前記制御装置を目的地とするコマンド信号の識別を開始し、予め定められた終了フレームコマンドに対応するビット値の前記シーケンスの認識と予め定められた電力レベル範囲内に入る受信されたＲＦ信号のＲＦ電力レベルの検出との少なくとも一方に応答して、前記装置の前記制御装置を目的地とするコマンド信号の識別を終了する処理を含んでいる請求項１記載の装置。
【請求項１５】
前記コマンド信号は無線周波数（ＲＦ）信号で符合化され、前記制御装置は電力の供給に応答して動作されるように構成され、前記制御装置は前記装置の前記制御装置を目的地とするコマンド信号と、選択されたポート間に前記電気的に接続されたＲＦ通信路で導かれることを意図されているＲＦトラフィック信号とを弁別するように構成され、前記弁別は前記制御装置に供給される電力の減少に応答してＲＦ信号中で符合化されたコマンド信号を有するものとしてＲＦ信号を識別する処理を含んでいる請求項１記載の装置。
【請求項１６】
さらに、第１の予め定められたカットオフ周波数よりも低い周波数を有するコンポーネント信号を実質的に阻止するためにＲＦ信号を濾波するように構成されている第１のフィルタを含む第１のパスと、
第２の予め定められたカットオフ周波数を超える周波数を有するコンポーネント信号を実質的に阻止するためにＲＦ信号を濾波するように構成されている第２のフィルタを含む第２のパスと、
バイパスポートと、
合計ノードとを具備し、
前記電気的に接続された通信路は前記第１のフィルタを含んでいる前記第１のパスを介して前記合計ノードに結合され、トラフィック信号とコマンド信号を伝送するように構成されている前記ポートは前記第２のフィルタを含んでいる前記５つの第２のパスを介して前記合計ノードに結合され、前記バイパスポートは前記合計ノードに結合されている請求項１記載の装置。
【請求項１７】
さらに、装置のバイパスポートと、
装置のバイパススイッチと、
予め定められたカットオフ周波数またはそれを超える周波数を有するＲＦ信号、トラフィック信号、制御信号を実質上通過させ、予め定められたカットオフ周波数よりも低い周波数を有するコンポーネント信号を実質的に阻止するように構成されているバイパスフィルタとを具備し、
トラフィック信号とコマンド信号を伝送するように構成された前記ポートは前記バイパスフィルタを介して前記装置のバイパススイッチに結合され、前記装置のバイパススイッチは前記装置のバイパスポートに結合され、前記装置へ入力された前記トラフィック信号とコマンド信号は前記装置のバイパススイッチの設定により前記バイパスポートに伝送されることができるように構成されている請求項１記載の装置。
【請求項１８】
さらに、それぞれ前記伝導ネットワークスイッチと伝導路と前記制御装置を格納する容器を具備している請求項１記載の装置。
【請求項１９】
さらに、それぞれがポートに結合されている複数の周辺装置を具備しており、各前記周辺装置はＲＦアンテナ、温度センサ、圧力センサ、振動センサ、化学センサ、ビデオディスプレイ装置、マイクロホン、オーディオスピーカ、オーディオヘッドホン、プッシュボタンスイッチ、データ入力キーパッド、移動体装置と通信するための近距離結合無線インターフェース装置、構内網無線アクセス点、インジケータライト、光センサからなるグループから選択される請求項１記載の装置。
【請求項２０】
第１の周辺アレイと、
第２の周辺アレイとを具備し、
第１の周辺アレイは、トラフィック信号を伝送するように構成され、その少なくとも１つはトラフィック信号とコマンド信号を伝送するように構成されている第１の複数のポートと、前記第１の周辺アレイの１以上の前記ポートに結合されている第１の複数の周辺装置と、１対のポート間にトラフィック信号の電気的に接続された通信路を与えるために選択的にポートを結合するように構成されているスイッチおよび伝導路を有する第１のスイッチネットワークと、コマンド信号を復号してその復号されたコマンド信号に応答して前記１対のポート間に前記電気的に接続された通信路を与えるように前記スイッチを制御するように構成されている第１の制御装置と、バイパスポートとバイパススイッチとを有し、トラフィック信号は前記１対のポート間で伝送されることが可能であり、前記周辺アレイに入る信号は前記バイパススイッチを介して前記バイパスポートへ導かれるように構成され、
第２の周辺アレイは、トラフィック信号を伝送するように構成され、その少なくとも１つはトラフィック信号とコマンド信号を伝送するように構成されている第２の複数のポートと、前記第２の周辺アレイの前記ポートに結合されている第２の複数の周辺装置と、前記第２の周辺アレイの１対のポート間にトラフィック信号の第２の電気的に接続された通信路を与えるために前記第２の複数のポートのポートを選択的に結合するように構成されたスイッチおよび伝導路を有する第２のスイッチネットワークと、コマンド信号を復号してその復号されたコマンド信号に応答して前記１対のポート間に前記第２の電気的に接続された通信路を与えるように第２のスイッチネットワークの前記スイッチを制御するように構成されている第２の制御装置とを具備し、トラフィック信号は前記１対のポート間で伝送されることができ、前記第１の周辺アレイの前記バイパスポートからのトラフィック信号は前記第２の周辺アレイに導かれることができ、また前記第２の周辺アレイの前記第２の電気的に接続された通信路を介して、前記第２の周辺アレイのポートに結合された周辺装置に導かれるように構成されているネットワーク。
【請求項２１】
さらに複数のポートを有するネットワークスイッチを具備し、前記第１の周辺アレイの前記電気的に接続された通信路の前記１対のポートの１つのポートは前記ネットワークスイッチの第１のポートへ結合され、それによってトラフィック信号とコマンド信号は前記ネットワークスイッチから前記第１の周辺アレイと前記第１の周辺アレイの前記バイパスポートとを介して前記第２の周辺アレイ上のポートに結合されている周辺装置へ導かれるように構成されている請求項２０記載のネットワーク。
【請求項２２】
前記ネットワークはさらに前記ネットワークスイッチングのポートに結合されている無線周波数、ＷｉＦｉ、ＲＦＩＤ，ＷＰＡＮまたは他のＲＦ送信機／受信機を具備している請求項２１記載のネットワーク。
【請求項２３】
さらに、無線周波数識別（ＲＦＩＤ）読取装置と、前記読取装置へコマンドを転送し、前記読取装置からデータを受信するように構成されたコンピュータとを具備し、トラフィック信号とコマンド信号を伝送するように構成されている前記第１の周辺アレイのポートは前記読取装置に結合されている請求項２０記載のネットワーク。
【請求項２４】
無線周波数識別（ＲＦＩＤ）トランスポンダと共に使用されるネットワークであり、前記トラフィック信号はＲＦＩＤプロトコルにしたがって変調されたＲＦＩＤトラフィック信号であり、前記第１のアレイの周辺装置は電磁放射、誘導結合された信号、容量結合された信号のうちの少なくとも１つにより前記ＲＦＩＤトラフィック信号を前記アンテナからＲＦＩＤトランスポンダへ送信し、前記制御装置コマンド信号は前記ＲＦＩＤプロトコルにしたがって変調されたＲＦ信号である請求項２０記載のネットワーク。
【請求項２５】
その少なくとも１つがトラフィック信号とコマンド信号を伝送するように構成されているトラフィック信号を伝送するように構成された複数のポートと、
１対のポート間にトラフィック信号の電気的に接続された通信路を提供するためにポートを選択的に結合し、前記１対のポートの少なくとも１つのポートはトラフィック信号とコマンド信号を伝送するように構成されているネットワーク手段と、
コマンド信号を復号してその復号されたコマンド信号に応答して前記１対のポート間に前記電気的に接続された通信路を提供するように前記ネットワーク手段を制御する制御手段とを具備し、トラフィック信号は前記１対のポート間で導かれるように構成されている装置。
【請求項２６】
ＲＦＩＤ（無線周波数識別）トランスポンダと共に使用する装置であり、前記トラフィック信号はＲＦＩＤトラフィック信号であり、前記装置はさらに、
電磁放射、誘導結合された信号、容量結合された信号のうちの少なくとも１つにより前記ＲＦＩＤトラフィック信号をＲＦＩＤトランスポンダへ送信し、前記選択されたポートへ帰還トラフィック信号を提供するために前記送信された放射に応答して前記ＲＦＩＤトランスポンダから応答信号を受信するため選択されたポートへ結合されているアンテナ手段を具備している請求項２５記載の装置。
【請求項２７】
前記ネットワーク上に他の素子を有するネットワークと共に使用する装置であって、さらにネットワークに接続され、ネットワーク上の別の素子に対して、装置のアイデンティティ、タイプ、状態、データ通信能力、ＲＦ通信能力の１以上を含んでいる情報を識別するために前記装置に応答する手段を具備している請求項２５記載の装置。
【請求項２８】
前記ネットワーク上に他の素子を有するネットワークと共に使用する装置であって、さらに前記装置のポートに結合される周辺装置と、前記装置に結合される１以上の周辺装置のアイデンティティ、タイプ、状態、データ通信能力、ＲＦ通信能力の１以上を含んでいる情報を別の素子に対して識別するためにネットワークに接続されている前記装置に応答する手段とを具備している請求項２５記載の装置。
【請求項２９】
モジュールを具備し、そのモジュールは、
トラフィック信号とコマンド信号を伝送するように構成されている複数のポートと、
１対のポート間にトラフィック信号に対する電気的に接続された通信路を与えるためにポートを選択的に結合するように構成されているスイッチおよび伝導路を有し、１対のポートの少なくとも１つのポートはトラフィック信号とコマンド信号を伝送するように構成され、
さらに、コマンド信号を復号して復号されたコマンド信号に応答して前記１対のポート間に前記電気的に接続された通信路を与えるように前記スイッチを制御するように構成され、前記１対のポートの少なくとも一方はトラフィック信号とコマンド信号とを伝送するように構成されている制御装置を具備している装置。
【請求項３０】
装置はＲＦＩＤ読取装置、無線ネットワークアクセス点、データルータ、コンピュータ、ＲＦＩＤデータ集収ネットワークの管理用の機器、スイッチを含んでいる請求項２９記載の装置。
【請求項３１】
アレイと、ネットワーク制御装置とを具備しているネットワークにおいて、
前記アレイは複数のポートを有し、その少なくとも１つのポートがトラフィック信号とコマンド信号を伝送するように構成されている第１のポートであり、その複数のポートがトラフィック信号を伝送するように構成されている付加的なポートであり、アレイはさらに前記ポートに結合されている複数の周辺装置と、前記周辺アレイ内に配置され前記第１ポートと選択されたポートとの間にトラフィック信号の電気的に接続された通信路を提供するために選択的にポートを結合するように構成されたスイッチおよび伝導路を有する第１のスイッチネットワークと、コマンド信号を復号して復号されたコマンド信号に応答して前記第１のポートと選択されたポートとの間に前記通信路を与えるように前記スイッチを制御するように構成されている第１の制御装置とを具備しており、ここでトラフィック信号は前記第１のポートから選択されたポートへ導かれるように構成され、
前記ネットワーク制御装置は第２の複数のポートを有し、その少なくとも１つのポートは前記第１の周辺アレイのポートに接続されてトラフィック信号とコマンド信号を伝送するように構成されているポートシリーズであり、その複数のポートはトラフィック信号を伝送するように構成され、ネットワーク制御装置は第１の周辺アレイと結合されているポートから前記第２の複数のポートの選択されたポートへトラフィック信号のための電気的に接続された通信路を与えるようにポートを選択的に結合するように構成されたスイッチおよび伝導路を有する第２のスイッチネットワークと、コマンド信号を復号して復号されたコマンド信号に応答してポート間に前記通信路を与えるため前記スイッチを制御するように構成されている第２の制御装置とを具備し、トラフィック信号は前記第１の周辺アレイと結合されたポートから前記第２の複数のポートの前記選択されたポートへ導かれるように構成されているネットワーク。
【請求項３２】
前記ネットワーク制御装置は第１のネットワーク制御装置を具備し、さらに、
それぞれがトラフィック信号とコマンド信号を伝送するように構成されているそれぞれのポートを有している１以上の付加的なネットワーク制御装置を具備し、前記ポートシリーズは前記周辺アレイの選択されたポート、ネットワーク制御装置、別の前記１以上の付加的なネットワーク制御装置に接続されている請求項３１記載のネットワーク。
【請求項３３】
前記選択されたポートはバイパスポートを具備している請求項３１記載のネットワーク。